(57)【要約】【課題】汎用品の接続が可能であり、また、配線設計の自由度が高い配線用分岐ユニットを提供する。【解決手段】電源線に対する電源線接続部及び他ユニットに対する電気接続部を有する電源線接続ユニット２７、２７と、汎用品に対するコンセント４８及び他ユニットに対する電気接続部を有するコンセント接続ユニット２８、２８と、これら電源線接続ユニット２７、２７及びコンセント接続ユニット２８、２８が電気接続部を介して電気的に接続された状態、且つ電源線接続部及びコンセント４８が窓部５７から各々露出した状態で収納される本体枠２９と、本体枠２９に取り付けられる本体カバー３０とを備えて配線用分岐ユニット２１を構成する。【選択図】    図３
2005020840.tif 000002
【特許請求の範囲】
【請求項１】
電源線に対する電源線接続部及び他ユニットに対する電気接続部を有する一又は複数の電源線接続ユニットと、
汎用品に対するコンセント及び他ユニットに対する電気接続部を有する一又は複数のコンセント接続ユニットと、
これら前記電源線接続ユニット及び前記コンセント接続ユニットが前記電気接続部を介して電気的に接続された状態、且つ前記電源線接続部及び前記コンセントが複数の窓部から各々露出した状態で収納される略枠形状の本体枠と、
を備えて構成した
ことを特徴とする配線用分岐ユニット。
【請求項２】
請求項１に記載の配線用分岐ユニットにおいて、
前記電源線接続ユニット及び前記コンセント接続ユニットを、前記本体枠に対して着脱自在となるように形成した
ことを特徴とする配線用分岐ユニット。
【請求項３】
請求項２に記載の配線用分岐ユニットにおいて、
前記電源線接続ユニット及び前記コンセント接続ユニット、前記本体枠のいずれか一方にレール状の結合突起を形成するとともに、いずれか他方に前記結合突起を案内する案内部を形成した
ことを特徴とする配線用分岐ユニット。
【請求項４】
請求項２に記載の配線用分岐ユニットにおいて、
前記本体枠に取り付けられて前記電源線接続ユニット及び前記コンセント接続ユニットの着脱を規制する略蓋状の本体カバーを更に備えた
ことを特徴とする配線用分岐ユニット。
【請求項５】
請求項１ないし請求項４いずれか記載の配線用分岐ユニットにおいて、
前記電気接続部を、ユニットケースに形成されるユニット結合溝と、前記ユニットケース内に収納され且つ前記ユニット結合溝から露出するバスバーのバスバー接触部とで構成した
ことを特徴とする配線用分岐ユニット。
【請求項６】
電源線に対する電源線接続部、該電源線接続部に設けられ前記電源線の接続状態を保持する電源線保持用ロック、及び他ユニットに対する電気接続部を有する一又は複数の電源線接続ユニットと、
汎用品に対するコンセント及び他ユニットに対する電気接続部を有する一又は複数のコンセント接続ユニットと、
これら前記電源線接続ユニット及び前記コンセント接続ユニットが前記電気接続部を介して電気的に接続された状態、且つ前記電源線接続部及び前記コンセントが複数の窓部から各々露出した状態で収納される略枠形状の本体枠と、
該本体枠に取り付けられて前記電源線接続ユニット及び前記コンセント接続ユニットの着脱を規制するとともに、前記電源線保持用ロックを押さえ付ける略蓋状の本体カバーと、
を備えて構成した
ことを特徴とする配線用分岐ユニット。
【発明の詳細な説明】
【０００１  】
【発明の属する技術分野】
本発明は、例えば床下配線に好適な、電源線（電力ケーブル）を分岐するための配線用分岐ユニットに関する。
【０００２  】
【従来の技術】
この種のものとしては、図１４に示されるようなジョイントボックス１が知られている（例えば特許文献１参照）。そのジョイントボックス１は、ユニット本体２と、受け部用の電源線接続部３と、送り部用の電源線接続部４と、複数の分岐接続部５とを備えて構成されている。電源線接続部３には、電源線６が接続されている。また、電源線接続部４には、送り配線となる電源線７が接続されている。一方、ジョイントボックス１から分岐される分岐線８の端末には、専用のハーネスプラグ９が設けられている。専用のハーネスプラグ９と分岐接続部５は、恰もコネクタ接続のような状態で接続されるように構成されている。
【０００３  】
【特許文献１】
特許第３３１０４９２号公報  （第２−３頁、第１−２図）
【０００４  】
【発明が解決しようとする課題】
ところで、上記従来技術にあっては、分岐接続部５に専用のハーネスプラグ９のみが接続許容されるようになっていることから、汎用品のＯＡタップ等を接続することができなかった。
【０００５  】
また、電源線接続部３及び４と複数の分岐接続部５とがユニット本体２に対して一体化されていることから、ジョイントボックス１を床下等に設置すると、そのジョイントボックス１の方向性が決定してしまい、電源線７や分岐線８を必要な方向に引き出すことが非常にし難かった。
【０００６  】
本発明は、上述した事情に鑑みてなされるもので、汎用品の接続が可能であり、また、配線設計の自由度が高い配線用分岐ユニットを提供することを課題とする。
【０００７  】
【課題を解決するための手段】
上記課題を解決するためなされた請求項１記載の本発明の配線用分岐ユニットは、電源線に対する電源線接続部及び他ユニットに対する電気接続部を有する一又は複数の電源線接続ユニットと、汎用品に対するコンセント及び他ユニットに対する電気接続部を有する一又は複数のコンセント接続ユニットと、これら前記電源線接続ユニット及び前記コンセント接続ユニットが前記電気接続部を介して電気的に接続された状態、且つ前記電源線接続部及び前記コンセントが複数の窓部から各々露出した状態で収納される略枠形状の本体枠と、を備えて構成したことを特徴としている。
【０００８  】
請求項２記載の本発明の配線用分岐ユニットは、請求項１に記載の配線用分岐ユニットにおいて、前記電源線接続ユニット及び前記コンセント接続ユニットを、前記本体枠に対して着脱自在となるように形成したことを特徴としている。
【０００９  】
請求項３記載の本発明の配線用分岐ユニットは、請求項２に記載の配線用分岐ユニットにおいて、前記電源線接続ユニット及び前記コンセント接続ユニット、前記本体枠のいずれか一方にレール状の結合突起を形成するとともに、いずれか他方に前記結合突起を案内する案内部を形成したことを特徴としている。
【００１０  】
請求項４記載の本発明の配線用分岐ユニットは、請求項２に記載の配線用分岐ユニットにおいて、前記本体枠に取り付けられて前記電源線接続ユニット及び前記コンセント接続ユニットの着脱を規制する略蓋状の本体カバーを更に備えたことを特徴としている。
【００１１  】
請求項５記載の本発明の配線用分岐ユニットは、請求項１ないし請求項４いずれか記載の配線用分岐ユニットにおいて、前記電気接続部を、ユニットケースに形成されるユニット結合溝と、前記ユニットケース内に収納され且つ前記ユニット結合溝から露出するバスバーのバスバー接触部とで構成したことを特徴としている。
【００１２  】
上記課題を解決するためなされた請求項６記載の本発明の配線用分岐ユニットは、電源線に対する電源線接続部、該電源線接続部に設けられ前記電源線の接続状態を保持する電源線保持用ロック、及び他ユニットに対する電気接続部を有する一又は複数の電源線接続ユニットと、汎用品に対するコンセント及び他ユニットに対する電気接続部を有する一又は複数のコンセント接続ユニットと、これら前記電源線接続ユニット及び前記コンセント接続ユニットが前記電気接続部を介して電気的に接続された状態、且つ前記電源線接続部及び前記コンセントが複数の窓部から各々露出した状態で収納される略枠形状の本体枠と、該本体枠に取り付けられて前記電源線接続ユニット及び前記コンセント接続ユニットの着脱を規制するとともに、前記電源線保持用ロックを押さえ付ける略蓋状の本体カバーと、を備えて構成したことを特徴としている。
【００１３  】
請求項１に記載された本発明によれば、一又は複数の電源線接続ユニット及びコンセント接続ユニットと、これらを収容するための本体枠とを備えて配線用分岐ユニットが構成される。電源線接続部を有する電源線接続ユニットには、その電源線接続部を介して電源線が接続される。また、コンセントを有するコンセント接続ユニットには、そのコンセントを介して汎用品が接続される。一方、本体枠には、電源線接続ユニット及びコンセント接続ユニットが電気的に接続された状態で収納される。また、電源線接続部及びコンセントが複数の窓部から各々露出した状態で収納される。電源線接続ユニット及びコンセント接続ユニットの電気的な接続は、各ユニットの電気接続部を介して行われる。本発明の配線用分岐ユニットは、その構成にコンセント接続ユニットを含むことから汎用品の接続が可能であり、また、ユニット形式の電源線接続ユニット及びコンセント接続ユニットを含むことから配線設計の自由度が高くなる。
【００１４  】
請求項２に記載された本発明によれば、電源線接続ユニット及びコンセント接続ユニットが着脱自在であることから、その電源線接続ユニット及びコンセント接続ユニットが本体枠に対して必要な数で必要な向きに収納される。
【００１５  】
請求項３に記載された本発明によれば、電源線接続ユニット及びコンセント接続ユニットの本体枠に対する着脱を容易にするために、結合突起及び案内部が形成される。
【００１６  】
請求項４に記載された本発明によれば、本体カバーを更に備えて本発明の配線用分岐ユニットが構成される。本体カバーが本体枠に取り付けられると、電源線接続ユニット及びコンセント接続ユニットの着脱が規制される。本体カバーにより、特に、電源線接続ユニット及びコンセント接続ユニットの外れが防止される。またこれにより、電力の分配が安定した状態に維持される。
【００１７  】
請求項５に記載された本発明によれば、ユニット結合溝に露出するバスバー接触部同士の接触により、各ユニットの電気的な接続が行われる。各ユニットの電気的な接続が簡素化され、配線用分岐ユニットの施工時間が短縮される。尚、バスバー接触部は、ユニット結合溝にあることから接続時の安全性も確保される。
【００１８  】
請求項６に記載された本発明によれば、一又は複数の電源線接続ユニット及びコンセント接続ユニットと、これらを収容するための本体枠と、本体枠に取り付けられる本体カバーとを備えて配線用分岐ユニットが構成される。電源線接続部を有する電源線接続ユニットには、その電源線接続部を介して電源線が接続される。また、コンセントを有するコンセント接続ユニットには、そのコンセントを介して汎用品が接続される。一方、本体枠には、電源線接続ユニット及びコンセント接続ユニットが電気的に接続された状態で収納される。また、電源線接続部及びコンセントが複数の窓部から各々露出した状態で収納される。電源線接続ユニット及びコンセント接続ユニットの電気的な接続は、各ユニットの電気接続部を介して行われる。他方、電源線接続ユニット及びコンセント接続ユニットが収納された本体枠には、本体カバーが取り付けられる。その本体カバーが取り付けられると、特に、電源線接続ユニット及びコンセント接続ユニットの外れが防止される。またこれにより、電力の分配が安定した状態に維持される。さらには、電源線接続ユニットの電源線保持用ロックがカバーにより押さえ付けられ、電源線の接続状態が保持される。
【００１９  】
【発明の実施の形態】
以下、図面を参照して本発明の実施の形態を説明する。
図１は本発明の配線用分岐ユニットの一実施の形態を示す使用状態説明図である。また、図２は配線用分岐ユニットの斜視図、図３は配線用分岐ユニットの分解斜視図、図４はユニット背面側の斜視図、図５は各ユニットを電気的に接続した状態の斜視図、図６は各ユニットの接続状態説明図、図７は電源線接続ユニットの斜視図、図８は電源線接続ユニットを構成する導体の斜視図、図９は電源線と導体との接続状態説明図、図１０はコンセント接続ユニットの斜視図、図１１はコンセント接続ユニットを構成する導体の分解斜視図である。
【００２０  】
図１において、引用符号２１は電源線（電力ケーブル：ＶＶＦケーブル）を分岐するための本発明の配線用分岐ユニットを示している。図１中の配線用分岐ユニット２１の場合にあっては、電源線２２と、送り配線となる電源線２３と、汎用品のＯＡタップ２４、２４とがそれぞれ接続されている。ＯＡタップ２４、２４のコード２５、２５の端末には、汎用性のある既知のプラグ２６、２６（一方のみ図示）が設けられている。本発明の配線用分岐ユニット２１は、ＯＡタップ２４、２４のように汎用品の接続が可能であり、また、後述するが、配線設計の自由度が高くなるように構成されている。
【００２１  】
図２及び図３において、上記配線用分岐ユニット２１は、二つの電源線接続ユニット２７、２７と、同じく二つのコンセント接続ユニット２８、２８と、これら四つのユニットを収容するための本体枠２９と、本体枠２９に取り付けられる本体カバー３０と、を備えて構成されている。また、配線用分岐ユニット２１は、電源線接続ユニット２７、２７及びコンセント接続ユニット２８、２８が本体枠２９に対して着脱自在に形成されている。電源線接続ユニット２７、２７は、電源線２２及び２３に対する接続用のユニットであり、コンセント接続ユニット２８、２８は、ＯＡタップ２４、２４に対する接続用のユニットである。尚、これらについての詳細は後述する。
【００２２  】
図４において、電源線接続ユニット２７、２７及びコンセント接続ユニット２８、２８は、それぞれ、ユニット共通の一対の電気接続部３１、３１を有している。その電気接続部３１、３１は、複数のユニット結合溝３２と、各ユニット結合溝３２に露出するバスバー接触部３３（図６参照）とを備えて構成されている。電気接続部３１、３１は、各ユニットの後部に設けられている。
【００２３  】
電気接続部３１、３１は、その一方と他方とで複数のユニット結合溝３２の配置が異なるように形成されている。すなわち、図５に示されるように、電源線接続ユニット２７、２７及びコンセント接続ユニット２８、２８の上面同士及び下面同士がそれぞれ面一となる結合ができるように配置形成されている。
【００２４  】
尚、本形態においては、電源線接続ユニット２７の両隣にコンセント接続ユニット２８、２８が、言い換えればコンセント接続ユニット２８の両隣に電源線接続ユニット２７、２７が結合されるように各ユニットが配置されているが、この限りではないものとする（後述する）。
【００２５  】
また、本形態においては、四つのユニットが図５に示されるような四角形状に並べられて結合をなしているが、この限りではないものとする。すなわち、各ユニットは、電気接続部３１、３１を有していることから、五つや六つ等のユニット同士の結合が可能であるものとする。これは、ユニットの数に対応する本体枠及び本体カバーを別に設定すれば済むことである。
【００２６  】
電源線接続ユニット２７、２７及びコンセント接続ユニット２８、２８が結合すると、図６に示されるように、各ユニットの対応するバスバー接触部３３、３３同士が接触する。電源線接続ユニット２７、２７及びコンセント接続ユニット２８、２８は、これらの結合と同時に電気的な接続が完了するように構成されている。
【００２７  】
図７ないし図９において、電源線接続ユニット２７は、絶縁性の合成樹脂材料で成形される箱状のユニットケース３４と、導電性の金属材料を加工して形成される複数の導体３５と、電源線２２又は２３の接続状態を保持するための電源線保持用ロック３６とを備えて構成されている。
【００２８  】
ユニットケース３４の前面には、複数の絶縁線心挿入口３７が形成されている。また、ユニットケース３４の前部両側面には、レール状の結合突起３８、３８が形成されている。さらに、ユニットケース３４の後部には、上記電気接続部３１、３１が設けられている。結合突起３８、３８は、図７の上下方向に伸びるように形成されている。すなわち、結合突起３８、３８は、電源線接続ユニット２７の本体枠２９に対する取り付け方向に伸びるように形成されている。ユニットケース３４の上面及び下面は、平坦な面となるように形成されている。
【００２９  】
導体３５は、ユニットケース３４内に収納されている。また、導体３５は、電源線２２又は２３の端末から引き出される絶縁線心３９を圧接するための圧接部４０と、両端に上記バスバー接触部３３、３３を有するバスバー４１と、圧接部４０及びバスバー４１を連結する連結部４２とを有して図示のような形状に形成されている。圧接部４０には、一対の圧接刃４３、４３が前後方向に適宜間隔を開けて設けられている。
【００３０  】
尚、複数の絶縁線心挿入口３７及び圧接部４０とで電源線２２又は２３に対する電源線接続部４４が構成されている。
【００３１  】
電源線保持用ロック３６は、絶縁性の樹脂材料で成形される板状の部材であって、ユニットケース３４の上面を貫通してスライド自在に取り付けられている。電源線保持用ロック３６は、その端面がユニットケース３４の上面と面一となるように押し下げられると、絶縁線心挿入口３７を介して差し込まれる絶縁線心３９を一対の圧接刃４３、４３に圧接するととともに、これを押さえ付けて圧接接続状態を保持するようになっている。電源線保持用ロック３６は、本体カバー３０によりそのスライドが規制されるようになっている。
【００３２  】
図１０及び図１１において、コンセント接続ユニット２８は、絶縁性の合成樹脂材料で成形される箱状のユニットケース４５と、導電性の金属材料を加工して形成される複数の導体４６とを備えて構成されている。
【００３３  】
ユニットケース４５の前面には、アース端子の付いたコンセント口４７を有するコンセント４８が設けられている。また、ユニットケース４５の前部両側面には、レール状の結合突起３８、３８が形成されている（電源線接続ユニット２７のものと同じであるものとする）。さらに、ユニットケース４５の後部には、上記電気接続部３１、３１が設けられている。ユニットケース４５の上面及び下面は、平坦な面となるように形成されている。
【００３４  】
導体４６は、ユニットケース４５内に収納されている。また、導体４６は、コンセント口４７の裏側に配置される接続部４９を有するバスバー５０と、両端に上記バスバー接触部３３、３３を有するバスバー５１と、これらバスバー５０及び５１同士を接続する接続用メス端子５２とを有して図示のような形状に形成されている。接続用メス端子５２は、バスバー５１に連成されており、バスバー５０のタブ５３が差し込まれると電気的な接続がなされるようになっている。
【００３５  】
図２及び図３において、本体枠２９は、合成樹脂材料を用いて図示されるような略枠形状に成形されている。すなわち、本体枠２９は、平面視正方形状の平坦な基板部５４と、その基板部５４の四隅にそれぞれ立設される四つの枠部５５とを有して略枠形状に成形されている。
【００３６  】
枠部５５は、平面視Ｌ字状に形成されている。また、枠部５５は、電源線接続ユニット２７、２７及びコンセント接続ユニット２８、２８の高さに合わせて形成されている。このような枠部５５の側縁部分には、上記結合突起３８、３８を案内する案内部５６が形成されている。また、枠部５５、５５同士の間には、上記電源線接続部４４又はコンセント４８が露出するような窓部５７が形成されている。
【００３７  】
本体枠２９は、電源線接続ユニット２７、２７及びコンセント接続ユニット２８、２８が電気接続部３１、３１を介して電気的に接続された状態、且つ電源線接続部４４及びコンセント４８が複数の窓部５７から各々露出した状態に収納されるように形成されている。
【００３８  】
本体カバー３０は、合成樹脂材料を用いて図示されるような略蓋状の部材に成形されている。また、本体カバー３０は、平面視正方形状であって、平坦な表裏面を有するように成形されている。このような本体カバー３０は、その四隅が本体枠２９の四つの枠部５５にそれぞれネジ止めされるようになっている（又は既知のロックによる固定であってもよいものとする）。
【００３９  】
尚、本体カバー３０の設定は任意であるものとする（本体カバー２９は、電源線接続ユニット２７、２７及びコンセント接続ユニット２８、２８の外れを防止し、電力の分配を安定した状態に維持することができるという利点を有する。本体カバー３０の設定が好ましいものとする）。
【００４０  】
上記構成において、配線用分岐ユニット２１は次のように組み立てられる。すなわち、電源線接続ユニット２７、２７及びコンセント接続ユニット２８、２８を、各ユニットの電気接続部３１、３１を介して電気的に接続するとともに、四角形状に並べて結合し、この状態で本体枠２９に収納する。そして、本体カバー３０を本体枠２９に取り付けると図２に示されるような配線用分岐ユニット２１が組み立てられる。
【００４１  】
このように組み立てられた配線用分岐ユニット２１に電源線２２又は２３を接続する場合には、本体カバー３０を本体枠２９から取り外し、絶縁線心挿入口３７に絶縁線心３９を差し込んで電源線保持用ロック３６を押し下げる。絶縁線心３９の圧接接続が完了した後には、再び本体カバー３０を本体枠２９に取り付ける。
【００４２  】
また、配線用分岐ユニット２１にＯＡタップ２４を接続する場合には、コンセント接続ユニット２８のコンセント４８にプラグ２６を直接差し込んで接続する。本形態においては、電源線２２及び２３の方向に対してＯＡタップ２４、２４が直交方向に接続されるように配線設計がなされている。
【００４３  】
次に、図１２及び図１３を参照しながら配線用分岐ユニットの他の使用状態を説明する（一例であるものとする）。
【００４４  】
図１２に示される本発明の配線用分岐ユニット２１′は、図中手前の電源線接続ユニット２７の右隣に他の電源線接続ユニット２７が結合され、その電源線接続ユニット２７の右隣にコンセント接続ユニット２８が結合され、そのコンセント接続ユニット２８の右隣に他のコンセント接続ユニット２８が結合されている。また、そのコンセント接続ユニット２８と図中手前の電源線接続ユニット２７とが結合されている。図１２の配線用分岐ユニット２１′は、上述の配線用分岐ユニット２１の電源線接続ユニット２７、２７及びコンセント接続ユニット２８、２８の配置を変えた例を示している。
【００４５  】
一方、図１３に示される本発明の配線用分岐ユニット２１″は、図中手前のコンセント接続ユニット２８の右隣に同じく他のコンセント接続ユニット２８が結合され、そのコンセント接続ユニット２８の右隣にも同じく他のコンセント接続ユニット２８が結合され、そのコンセント接続ユニット２８の右隣に電源線接続ユニット２７が結合されている。また、その電源線接続ユニット２７と図中手前のコンセント接続ユニット２８とが結合されている。図１３の配線用分岐ユニット２１″は、三つのＯＡタップ２４を接続した例を示している。
【００４６  】
以上、図１ないし図１３を参照しながら説明してきたように、本発明の配線用分岐ユニット２１（２１′、２１″）は、汎用品を接続することができる。また、各ユニットが着脱自在であることから、配線設計の自由度を高めることができる。
【００４７  】
もう少し詳しく説明すると、電源線接続ユニット２７とコンセント接続ユニット２８とに分けた構成であることから、ＯＡタップ２４等の汎用品を必要な数、必要な向きで接続することができる。また、利用者が任意に配線設計を行うことができる。
【００４８  】
一方、このような効果の他には、電源線接続ユニット２７と電源線２２、２３との接続を圧接にし、しかも絶縁線心３９を差し込んで電源線保持用ロック３６を押し下げるだけの構造にしたことから、安全性の確保と施工時間の短縮とを図ることができるという効果がある。また、電気接続部３１、３１を介してユニット同士を電気的に接続するだけの構造にしたことから、電気回路を考慮する必要性をなくすことができるという効果がある。
【００４９  】
その他、本発明は本発明の主旨を変えない範囲で種々変更実施可能なことは勿論である。
【００５０  】
【発明の効果】
以上説明したように、請求項１に記載された本発明によれば、汎用品を接続することができるという効果を奏する。また、配線設計の自由度を高めることができるという効果を奏する。
【００５１  】
請求項２に記載された本発明によれば、電源線接続ユニット及びコンセント接続ユニットを本体枠に対して必要な数で必要な向きに収納することができるという効果を奏する。
【００５２  】
請求項３に記載された本発明によれば、電源線接続ユニット及びコンセント接続ユニットの本体枠に対する着脱を容易にすることができるという効果を奏する。
【００５３  】
請求項４に記載された本発明によれば、電源線接続ユニット及びコンセント接続ユニットの外れを防止することができるという効果を奏する。またこれにより、電力の分配を安定した状態に維持することができるという効果を奏する。
【００５４  】
請求項５に記載された本発明によれば、各ユニットの電気的な接続を容易にすることができるという効果を奏する。また、接続時の安全性を確保することができるという効果を奏する。
【００５５  】
請求項６に記載された本発明によれば、汎用品を接続することができるという効果を奏する。また、配線設計の自由度を高めることができるという効果を奏する。さらに、電源線接続ユニット及びコンセント接続ユニットの外れを防止することができるという効果を奏する。さらにまた、電力の分配を安定した状態に維持することができるという効果を奏する。さらにまた、電源線の接続状態を保持することができるという効果を奏する。
【図面の簡単な説明】
【図１】本発明による配線用分岐ユニットの一実施の形態を示す使用状態説明図である。
【図２】配線用分岐ユニットの斜視図である。
【図３】配線用分岐ユニットの分解斜視図である。
【図４】ユニット背面側の斜視図である。
【図５】各ユニットを電気的に接続した状態の斜視図である。
【図６】各ユニットの接続状態説明図である。
【図７】電源線接続ユニットの斜視図である。
【図８】電源線接続ユニットを構成する導体の斜視図である。
【図９】電源線と導体との接続状態説明図である。
【図１０】コンセント接続ユニットの斜視図である。
【図１１】コンセント接続ユニットを構成する導体の分解斜視図である。
【図１２】配線用分岐ユニットの他の使用状態説明図である。
【図１３】配線用分岐ユニットの更に他の使用状態説明図である。
【図１４】従来例のジョイントボックスの斜視図である。
【符号の説明】
２１、２１′、２１″  配線用分岐ユニット
２２、２３  電源線
２４  ＯＡタップ
２５  コード
２６  プラグ
２７  電源線接続ユニット
２８  コンセント接続ユニット
２９  本体枠
３０  本体カバー
３１  電気接続部
３２  ユニット結合溝
３３  バスバー接触部
３４  ユニットケース
３５  導体
３６  電源線保持用ロック
３７  絶縁線心挿入口
３８  結合突起
３９  絶縁線心
４０  圧接部
４１  バスバー
４２  連結部
４３  圧接刃
４４  電源線接続部
４５  ユニットケース
４６  導体
４７  コンセント口
４８  コンセント
４９  接続部
５０、５１  バスバー
５２  接続用メス端子
５３  タブ
５４  基板部
５５  枠部
５６  案内部
５７  窓部
【図１】
2005020840.tif 000003
【図２】
2005020840.tif 000004
【図３】
2005020840.tif 000005
【図４】
2005020840.tif 000006
【図５】
2005020840.tif 000007
【図６】
2005020840.tif 000008
【図７】
2005020840.tif 000009
【図８】
2005020840.tif 000010
【図９】
2005020840.tif 000011
【図１０】
2005020840.tif 000012
【図１１】
2005020840.tif 000013
【図１２】
2005020840.tif 000014
【図１３】
2005020840.tif 000015
【図１４】
2005020840.tif 000016